(57)【要約】      （修正有）【課題】自動車に搭載したセンサー、カメラ、コンピュータシステムの機器により、自動車の運転状況や車体情報を検知及び収集し、収集した情報に基づいて指定期間内の無事故やエコ運転等のランクを判定した上で、判定したランクに応じた、参加者が選択した賞品提供の支援を行う自動車運転ランキング及び賞品提供システムを提供する。【解決手段】自動車に搭載された情報端末３から送信される「運転情報、車両情報、位置情報」及び運転者の情報端末４から送信される「車両情報、賞品の選択情報」を、インターネット等のネットワーク２経由で受信し、受信した各種情報に基づいて、指定条件に係る無事故又はエコ運転等のランクやランキングを判定した上で、運転手宛に、判定したランクやランキングに応じた、運転手が予め選んだ賞品の提供支援を行う。【選択図】図１
2016053933.tif 000002
【特許請求の範囲】
【請求項１】
自動車やバイク（以下、「自動車等」という）に搭載された情報収集端末から送信される「自動車の運転情報を含む車両情報」と、交通事故削減運動又はエコ運転やグリーン運動の参加者の情報端末から送信される「交通事故削減運動や無事故又はエコ運転やグリーン運転に係る賞品の選択情報及び車両情報」を、ネットワーク経由で受信して入力する情報入力手段と、運転状況を検知して数値化する運転状況検知手段と、前記運転状況検知手段で数値化された運転データと事故判定データ表とを照合して交通事故削減運動や無事故又はエコ運転やグリーン運転に係るランクの判定をしてランク情報を作成するランク判定手段と、前記参加者が前記賞品の請求に用いるための請求用送信データを作成する賞品請求用データ作成手段と、データの情報送信手段と、前記参加者データ、前記運転及び車両情報、前記賞品の選択情報、前記ランク情報、前記事故判定データ表、提供される賞品の情報とを記憶する記憶手段とを具備し、前記賞品の提供時には、前記賞品請求用データ作成手段が、前記記憶手段に記憶されている前記ランクと前記賞品の選択情報を含む前記賞品請求用送信データを作成し、前記情報送信手段から前記参加者の情報端末に送信すること、を特徴とする自動車運転ランキング及び賞品提供システム
【請求項２】
前記自動車の運転情報を含む車両情報には、運転時間情報、運転距離情報、燃費情報を含むエコ運転情報、又は車両の製造年を含むことを特徴とする請求項１に記載の前記自動車運転ランキング及び賞品提供システム
【請求項３】
指定期間又は前記ランク情報の判定回数に基づく特定ランク情報を判定すること、を特徴とする請求項１又は請求項２に記載の前記自動車運転ランキング及び賞品提供システム
【請求項４】
入力した各種の条件毎に、前記ランク情報を参照して、前記各種の条件毎に係る前記参加者のランキングを作成する各種条件毎ランキング作成手段を具備することを特徴とする請求項１ないし請求項３に記載の前記自動車運転ランキング及び賞品提供システム
【請求項５】
前記賞品請求用データ作成手段が、前記賞品請求用送信データを作成する場合に、自動車等又は前記参加者の情報端末に搭載された位置情報検出システムにより、自動車等の現在走行中の位置に対応する前記賞品に係る情報又は前記賞品請求用送信データを表示又は作成すること、を特徴とする請求項１ないし請求項４に記載の前記自動車運転ランキング及び賞品提供システム
【発明の詳細な説明】
【発明の詳細な説明】
【技術分野】
【０００１】本発明は、自動車やバイク（以下「自動車等」という）に搭載されている、自動車等に掲載した自動車等に係る運転状況及び車両情報を検知するセンサー、カメラ、又はコンピュータシステム等の機器と、情報端末とを活用した自動車等の運転に係る交通事故削減運動又はエコ運転やグリーン運動の参加者（以下「参加者」という）へのランキング付けや賞品提供を支援するシステムにコンピュータシステムに関する。
【背景技術】
【０００２】個人である交通安全運動等の参加者が送ることの出来る「無事故の自己申告」又は「保険契約者に対して保険会社等が交付した「保険契約の更新案内又は契約関係書類」をデータとして受信し、指定期間内の個人の無事故又は無保険事故を判定した上で、無事故者又は無保険事故者に対して、個人が予め選択済みの無事故プレゼントの付与資格データや受取り方法等を送信するシステムがあった。
【先行技術文献】
【特許文献】
【０００３】
【特許文献１】特願２０１４−８８５７２
【発明の開示】
【発明が解決しようとする課題】
【０００４】ただし、自動車等の運転及び車両情報を自動車等に搭載したセンサー、カメラ、又はコンピュータシステム等の機器により、自動車等の運転や車両の状況を検知しデータ化して記憶した上で、予め記憶している判定用データと照合して、前記参加者の運転等に係るランクを判定して、判定したランクに基づいてランキングを作成する、及び、予め前記参加者が選択している賞品を提供することを支援するシステムが望まれていた。
【課題を解決するための手段】
【０００５】本発明は、自動車やバイク（以下、「自動車等」という）に搭載された情報収集端末から送信される「自動車の運転情報を含む車両情報」と、交通事故削減運動又はエコ運転やグリーン運動の参加者の情報端末から送信される「交通事故削減運動や無事故又はエコ運転やグリーン運転に係る賞品の選択情報及び車両情報」を、ネットワーク経由で受信して入力する情報入力手段と、運転状況を検知して数値化する運転状況検知手段と、前記運転状況検知手段で数値化された運転データと事故判定データ表とを照合して交通事故削減運動や無事故又はエコ運転やグリーン運転に係るランクの判定をしてランク情報を作成するランク判定手段と、前記参加者が前記賞品の請求に用いるための請求用送信データを作成する賞品請求用データ作成手段と、データの情報送信手段と、前記参加者データ、前記運転及び車両情報、前記賞品の選択情報、前記ランク情報、前記事故判定データ表、提供される賞品の情報とを記憶する記憶手段と、を具備し、前記賞品の提供時には、前記賞品請求用データ作成手段が、前記記憶手段に記憶されている前記ランクと前記賞品の選択情報を含む前記賞品請求用送信データを作成し、前記情報送信手段から前記参加者の情報端末に送信すること、を特徴とする自動車運転ランキング及び賞品提供システムである。【０００６】本発明によれば、前記参加者である、自転車等の運転手に対して、交通事故削減運動又はエコ運転やグリーン運動（以下「各種運動」という）に係る賞品（以下「賞品」という）を、前記参加者が運転する自転車等の車に搭載したセンサー、カメラ、又はコンピュータシステム等の機器が収集した情報及び前記参加者より送信されてきた情報に基づいて、前記参加者に係る自動車等の運転及び車両状況を検知して数値化してランクを判定した上で、判定したランクに基づいて、予め前記参加者が選択している前記各種運動に係る賞品の提供の支援を行うことが出来るようになる。【０００７】本発明は、前記自動車の運転情報を含む車両情報には、運転時間情報、運転距離情報、燃費情報を含むエコ運転情報、又は車両の製造年を含むことを特徴とする請求項１に記載の前記自動車運転ランキング及び賞品提供システムである。【０００８】本発明によれば、前記各種運動に係る賞品を、前記参加者の自動車等の運転情報、運転時間情報、運転距離情報、燃費情報を含むエコ運転情報、又は車両の製造年とに基づいて、各種の指定する条件に対応するランクを判定する、及びその判定したランクに応じた賞品の提供をすることが出来るようになる。  例えば、自動車等で走った走行距離に対応する無事故ランクを判定して、その判定したランクに応じた賞品の提供をする。具体的には、走行距離５００〜１，０００キロメートルで１事故はＡランク、１，０００〜２，０００キロメートルで１事故はＢランクと判定し、それぞれのランクに応じた賞品を前記参加が請求するための前記賞品請求用データを作成し、前記参加者の情報端末に送信する、といった事を行うことが出来るようになる。【０００９】本発明は、指定期間又は前記ランク情報の判定回数に基づく特定ランク情報を判定すること、を特徴とする請求項１又は請求項２に記載の前記自動車運転ランキング���び賞品提供システムである。【００１０】本発明によれば、指定期間や判定済みのランクの継続回数や継続年数によって、特別のランク付けを行って、前記参加者に対して、その特別のランクに応じた賞品の提供を行うことが出来るようになる。【００１１】本発明は、入力した各種の条件毎に、前記ランク情報を参照して、前記各種の条件毎に係る前記参加者のランキングを作成する各種条件毎ランキング作成手段を具備することを特徴とする請求項１ないし請求項３に記載の前記自動車運転ランキング及び賞品提供システムである。【００１２】本発明によれば、判定された各種のランク情報に基づいて、前記参加者のランキングを作成することが出来るようになる。【００１３】本発明は、前記賞品請求用データ作成手段が、前記賞品請求用送信データを作成する場合に、自動車等又は前記参加者の情報端末に搭載された位置情報検出システムにより、自動車等の現在走行中の位置に対応する前記賞品に係る情報又は前記賞品請求用送信データを表示又は作成すること、を特徴とする請求項１ないし請求項４に記載の前記自動車運転ランキング及び賞品提供システムである。【００１４】本発明によれば、自動車等の現在走行中の位置に近く、又は自動車等で現在行きやすい店舗他で受け取れる賞品を、自動車等の現在の運転状況に合わせて、前記参加者の情報端末に表示できるようになる。
【発明の効果】
【００１５】自動車等の運転情報及び車両情報を収集するセンサー、カメラ又はコンピュータシステム等の自動車等に搭載されている各種機器を活用して、前記参加者が自動車等で走った走行距離や運転時間等に係る各種のランクを判定することが出来るようになる。及び、その判定したランクに基づいて、前記参加者が選択した賞品又は広告主等からの賞品を前記参加者に提供する支援が出来るようになる。例えば、走った距離や時間の間に、「交通事故の発生」、「燃料や車両を効率良く使っているか（エコ運転又はグリーン運転）」を判定し、その判定に従って無事故ランクやエコ運転ランク等を判定することが出来き、その判定した各ランクに基づいて、前記参加者（自動車等の運転者）が予め選んだ賞品又は前記各種活動に賛同した広告主等の賞品提供者からの賞品提供の支援を行うことが出来るようになる。及び、指定期間内の前記参加者の各ランクの順位（ランキング）を決める事やその各ランクの順位付けに従っての賞品提供の支援が出来るようになる。
【図面の簡単な説明】
【００１６】
【図１】  自動車運転ランキング及び賞品提供システムの構成図
【図２】  自動車運転ランキング及び賞品提供システムのフローチャート
【発明を実施するための最良の形態】
【実施例１】
【００１７】次に、本発明の実施形態について、適宜図面を参照しながら詳細に説明する。図１は、前記自動車運転ランキング及び賞品提供システム（１）のブロック構成図である。図１において、インターネット等の広域又はエリアを限定した無線のネットワーク（２）を介して、自動車等に搭載の情報端末（３）と、自動車等運転者（交通安全運動の参加者）の情報端末（４）と接続している。及び、前記自動車等に搭載の情報端末（３）と、自動車等の運転者による運転情報又は車体情報や位置情報を自動的に検知する為の機器（センサー、カメラ、ＧＰＳ、等）及びそれらの機器を制御するコンピュータシステムで構成される「自動車等の各種情報を検知する機器（５）」と連結されている。尚、前記自動車運転ランキング及び賞品提供システム（１）は、コンピュータやサーバーなどのコンピュータ機器にインストールされた形態で構成されても良いし、前記自動車等の各種情報を検知する機器（５）は自動車等に装備されているナビゲーションシステムやカメラ等の機器であって、前記自動車等に搭載の情報端末（３）と接続し連動して機能するようにしても良い。【００１８】前記自動車運転ランキング及び賞品提供システム（１）は、情報処理手段として、情報入力手段（６）、情報送信手段（７）、賞品請求用データ作成手段（８）、各種条件毎ランキング作成手段（９）、運転状況検知手段（１０）、及びランク判定手段（１１）で構成されており、及び記憶手段としては記憶手段（１２）で構成されている。そして、前記情報入力手段（６）と前記情報送信手段（７）とは、インターネット等の広域又はエリアを限定した無線のネットワーク（２）と常時通信可能な状態となっている。尚、前記の各手段の機能に関しては、図２のフローチャート説明の中で適宜説明を加える。【００１９】図２は、自動車運転ランキング及び賞品提供システム（１）の情報処理のフローチャートである。まず、前記参加者の情報端末（４）より、前記ネットワーク（２）経由で前記自動車運転ランキング及び賞品提供システム（１）宛に、前記各種活動に基づく賞品提供活動に係る前記参加者が欲しい賞品の選択情報を前記参加者データ（１３）に紐付けて送信する。この賞品の選択情報を送信は、予め前記参加者の情報端末（４）に賞品の候補又は賞品を提供する広告主（賞品の提供により顧客への来店送信や商品の販売促進を図るために、前記参加者に前記各種運動に係る賞品の提供を行う）を提示又は表示し、前記参加者に随時選択させると良い。この賞品は、賞品を得るために、前記参加者が前記各種運動が掲げる目標（交通事故削減やエコ運転等）の達成に向けたモチベーションアップの効果を生むために提供されるものである。及び、前記参加者に係る各種の車両情報（製造年、使用期間、車種名等）も、前記参加者の情報端末（４）より送信しても良い。【００２０】また、自動車等から運転情報及び車両情報を、前記自動車等に搭載の各種情報を検知する機器（５）により検知又は取集した上で、前記参加者データ（１３）又は個別の自動車等を認識できるデータ（以下合せて「参加者データ」という）に紐付けて、前記自動車等に搭載の情報端末（３）より、前記自動車運転ランキング及び賞品提供システム（１）宛に送信する。尚、前記参加者の情報端末（４）又は前記自動車に搭載の情報端末（３）から送信される前記自動車等から運転情報及び車両情報とは、送信する情報に紐付いた時間、走行距離、走行時間、燃費、ブレーキ操作、振動、衝撃、音声、車歴、他の運転や車両の状況や、運転により自動車等の車体の受けた状況である。これらの情報により、交通事故の発生や状況、エコ運転の状況、安全運転の状況を判定することが出来る。尚、それらの判定にあたっては、前記自動車運転ランキング及び賞品提供システム（１）内に各種の運転情報及び車両情報毎に対する判定基準を定めたランク判定データ表（１６）を記憶しておき、個々の運転情報及び車両情報毎の情報を前記ランク判定データ表（１６）と照合して、前記参加者に係る各種情報に対するランク付けを行うのである。【００２１】尚、前記自動車等に搭載の情報収集端末（３）とは、例えば、西暦２０００年以降に生産されたほぼ全部の自動車に搭載されている、いわゆるＯＢＤ端子（コネクター）と言われる機器を活用しても良い。この場合、前記ＯＢＤ端子からは自動車の各種情報（積算距離、積算燃費、平均燃費、スロットル開度、エンジン回転数、スピード、水温、ブレーキ使用状況、バランス、給油状況、ガソリンの使用状況、他）が取集される。そして、前記ＯＢＤ端子（コネクター）から自動車掲載の情報端末や各種の情報端末に情報を送信し、その情報を表示するシステムは既に存在している。又、運転情報の入手には、これも既に生産済みの車載カメラ、センサー、カーナビゲーション等を活用しても良い。【００２２】前記自動車運転ランキング及び賞品提供システム（１）は、前記ネットワーク（２）経由で、個別の自動車等の認識情報に紐付いた「運転及び車両情報（１４）」と前記参加者の選んだ「報酬の選択情報（１７）」を、ともに前記情報入力手段（６）で受信する。そして、前記情報入力手段（６）は受信した前記運転及び車両情報（１４）と前記報酬の選択情報（１７）を前記参加者データ（１３）と紐付けて前記記憶手段（１２）送信し記憶する。及び、前記情報入力手段（６）は、前記参加者データ（１３）に紐付いた「自動車等の運転及び車両情報（１４）」を前記運転状況検知手段（１０）に送信する。【００２３】前記運転状況検知手段（１０）では、送られてきた「自動車等の運転及び車両情報（１４）」を、予め指定した各種のランク付けを行う項目に係る各情報毎に指定した「特定の数値」に変換して、前記ランク判定手段（１１）に送信する。すると、前記ランク判定手段（１１）は、前記記憶手段（１２）に予め記憶されているランク判定データ表（１６）と送られてきた前記特定の数値とを照合して、前記参加者の個別の「自動車等の運転及び車両情報」に係るランクを示すランク情報（１８）を判定し決定して、前記記憶手段（１２）に前記参加者データ（１３）と紐付けて前記ランク情報（１８）を記憶する。この前記ランク情報（１８）は、例えば、無事故ランク、安全運転ランク、エコ運転ランク、グリーン運転ランク等であり、前記参加者のみでなく社会全体で目指したい目標に係るランクとすると良い。【００２４】また、前記運転状況検知手段（１０）では、送られてきた「自動車等の運転及び車両情報（１４）」に含まれる「現在の車両の位置情報」を、前記賞品請求用データ作成手（８）に送る。すると前記賞品請求用データ作成手段（８）は、前記記憶手段（１２）に記憶されている前記参加者データ（１３）に紐付いている前記賞品の選択情報（１７）内に、送られてきた現在の車両の位置情報に係る又は近いと判断される位置情報（賞品を受け取れる又は使える店舗等の情報）が含まれている、と判断した場合には、前記参加者が選択済みの賞品（賞品の選択情報（１７））の請求に用いる又は賞品の請求や受取に用いる前記賞品請求用データを作成して、前記情報送信手段（７）より前記参加者の情報端末（４）宛に送信する。
【実施例２】
【００２５】次に、本発明の実施例２としてについて、個々の自動車等に係る「車体状況、運転状況」に基づいて、特定の分類に係る前記参加者のランクについての「前記参加者のランキングの作成」、及び、作成したランキングを利用した報酬提供の場合の情報処理について具体例を挙げて説明する。【００２６】具体例として、「指定日から６カ月間について、自動車の走行距離に比例した無事故（事故を起こさなかった）について、前記参加者のランキングを付ける。そして、その付けたランキングに応じた賞品を前記参加者に提供するといった、場合の情報処理について説明する。  まず、「指定日から６カ月間」の日時または時間の長さを、前記運転及び車両情報（１４）の検知及び収集を行う前記自動車に搭載の各種情報を検知する機器（５）又は前記自動車運転ランキング及び賞品提供システム（１）に設定するためのデータを送って設定する。その後の各種情報を検知及び収集後の前記運転状況検知手段（１０）の行う情報処理（送られてきた自動車等の運転及び車両情報（１４）の各種のランク付けを行う項目に係る「特定の数値」への変換まで）は、前記実施例１の情報処理の流れと同じである。【００２７】そして、前記運転状況検知手段（１０）で算出された前記特定の数値は、前記各種条件毎ランキング作成手段（９）に送られる。そして、前記各種条件毎ランキング作成手段（９）で前記前記特定の数値に基づいて、ランキング付けが行われる。尚、この具体例での「特定の数値」からのランキング付けの情報処理方法は、「指定期間（指定日から６カ月間又は６カ月間の間ならば現在時点まで）内の前記参加者データ（１３）に係る自動車の走行距離」を、「交通事故と判定する回数」で除して、「１回の交通事故の発生に係る距離数」を算出し、「算出された距離の長い前記参加者を上から順番にランク付けを行う」といった形態で、「ランキング付け作成」の情報処理を実施する。そして作成されたランキングは随時又は指定時期に前記参加者の情報端末（４）に送信する、及び、そのランキングの順位に応じた賞品を前記参加者に提供する。（個々の前記参加者が自分のランキングに応じた前記賞品請求用データを、前記賞品請求用データ作成手段（８）が作成し、前記情報送信手段（７）から、前記ネットワーク（２）を経由して、前記参加者の情報端末（４）に送信する）【００２８】また、同様の情報処理に設定条件を変更するだけで、自動車の「走行時間」に比例した無事故（事故を起こさなかった）やエコ運転等について、前記参加者のランキングを付ける。そして、その付けたランキングに応じた賞品を前記参加者に提供することも出来る。【００２９】このような情報処理の実施でのランキングの作成や作成したランキングに応じた賞品提供の実施、及び、作成したランキングや自分のランキングの順位を随時又は指定時に開示する又は送信することにより、個々の前記参加者が、指定された期間において、前記参加者全員の中のランキング上位の獲得、及びランキングに応じた賞品の獲得を目指すことになり、ゲームに参加するような感覚で楽しみながら、無事故及び無事故の為の安全運転を行うことの推進を図ることが出来るようになるのである。
【実施例３】
【００３０】また、実施例１や実施例２の情報処理により生まれてきた、前記参加者に係る「前記ランキング」、「前記ランク」、又は「前記特定の数値」を、前記記憶手段（１２）に前記参加者データ（１３）に紐付けて記憶しておき、「前記ランキング」、「前記ランク」又は「前記特定の数値」の記憶されている回数や数値の累積に基づいて、新たに入力される条件に係る前記参加者全員の中のランキング及びランキングに応じた賞品提供の支援を行う情報処理を行ってもよい。例えば、５回連続でランキングの指定順位に入った前記参加者の「平均順位」により、新たなランキング付けを行う等である。  これにより、前記参加者に対する、長期間に渡っての、ゲームに参加するような感覚で楽しみながらの、無事故及び無事故の為の安全運転を行うことのモチベーション継続の推進を図ることが出来るようにもなる。
【産業上の利用可能性】
【００３１】本発明は、携帯電話端末、ＰＤＡ（Ｐｅｒｓｏｎａｌ  Ｄｉｇｉｔａｌ  Ａｓｓｉｓｔａｎｔ）等の携帯端末、ＰＣ（パーソナルコンピュータ）、大型コンピュータ等のシステムの各サーバ又は端末装置に利用することが可能である。
【符号の説明】
【００３２】（１）    自動車運転ランキング及び賞品提供システム
（２）    ネットワーク
（３）    自動車等に搭載の情報端末
（４）    参加者の情報端末
（５）    自動車等の各種情報を検知する機器
（６）    情報入力手段
（７）    情報送信手段
（８）    賞品請求用データ作成手段
（９）    各種条件毎ランキング作成手段
（１０）        運転状況検知手段
（１１）        ランク判定手段
（１２）        記憶手段
（１３）        前記参加者データ
（１４）        運転及び車両情報
（１５）        提供される賞品の情報
（１６）        ランク判定データ表
（１７）        賞品の選択情報
【図１】
2016053933.tif 000003
【図２】
2016053933.tif 000004